(57)【要約】      （修正有）【課題】上部送水管を下部送水管に対して周方向に回動操作するだけで上部送水管の下部送水管に対する摩擦保持力を高めて送水管の伸縮を抑止できるようにした、新規な内部式底面濾過装置を提供する。【解決手段】濾過装置の濾過ケース３０の上部中央に、該濾過ケース３０の吐水口に連通して上方に向けて一体に突設されていて、横断面八角形状で上方に向かって先細り形状に形成される導水管３１の上部に、弾性合成樹脂材よりなるジョイント３２の下部が連通接続され、このジョイント３２の上部に送水管１６が連通接続され、その送水管１６は、前記ジョイント３２に抜差自在に接続される下部送水管１７と、その下部送水管１７の上部に、下部が摺動自在に嵌合される上部送水管１８とよりなり、その上部送水管１８の上端に放水管３３が接続され、前記下部送水管１７と前記上部送水管１８は、それらの上下方向の摺動嵌合部が、横断面楕円形に形成される。【選択図】図５
2020036605.tif 000002
【特許請求の範囲】
【請求項１】
水槽（Ｖ）内の床面上に設置される内部式底面濾過装置であって、
該濾過装置の濾過ケース（３０）の上部中央に、該濾過ケース（３０）の吐水口に連通して上方に向けて一体に突設されていて、横断面八角形状で上方に向かって先細り形状に形成される導水管（３１）の上部に、弾性合成樹脂材よりなるジョイント（３２）の下部が連通接続され、このジョイント（３２）の上部に送水管（１６）が連通接続され、その送水管（１６）は、前記ジョイント（３２）に抜差自在に接続される下部送水管（１７）と、その下部送水管（１７）の上部に、下部が摺動自在に嵌合される上部送水管（１８）とよりなり、その上部送水管（１８）の上端に放水管（３３）が接続され、前記下部送水管（１７）と前記上部送水管（１８）は、それらの上下方向の摺動嵌合部が、横断面楕円形に形成されることを特徴とする、内部式底面濾過装置。
【発明の詳細な説明】
【技術分野】
【０００１】
本発明は、金魚、熱帯魚、海水魚等の観賞魚の飼育用水槽内に設けられる内部式底面濾過装置に関する。
【背景技術】
【０００２】
従来、水槽内に設けられる濾過装置において、濾過後の水を放水する、濾過本体の吐水口に接続される送水管を伸縮可能として、この送水管の上端に接続されるシャワー管（放水管）の上下位置を調節できるようにしたものは公知である（たとえば、後記特許文献１参照）。
【先行技術文献】
【特許文献】
【０００３】
【特許文献１】特許第４１６３６６３号公報
【発明の概要】
【発明が解決しようとする課題】
【０００４】
ところで、従来の濾過装置の送水管は、一般に押出成形等により断面真円の円筒形に形成されて、下部送水管の上端に、それよりも若干大径の上部送水管を摺動可能に嵌合して伸縮可能に構成されるが、その摺動嵌合部の摩擦保持力が充分でなく、上部送水管と下部送水管の上下方向の相対位置が定まりにくく、水槽内の水の流れや、送水管に作用する外力（観賞魚の接触）などで、意に反して送水管が伸縮してしまうという問題がある。
【０００５】
本発明は、かかる実情に鑑みてなされたもので、上部送水管を下部送水管に対して周方向に回動操作するだけで上部送水管の下部送水管に対する摩擦保持力を高めて送水管の伸縮を抑止できるようにした、新規な内部式底面濾過装置を提供することを目的とする。
【課題を解決するための手段】
【０００６】
前記目的達成のため、請求項１に記載の発明は、水槽内の床面上に設置される内部式底面濾過装置であって、
該濾過装置の濾過ケースの上部中央に、該濾過ケースの吐水口に連通して上方に向けて一体に突設されていて、横断面八角形状で上方に向かって先細り形状に形成される導水管の上部に、弾性合成樹脂材よりなるジョイントの下部が連通接続され、このジョイントの上部に送水管が連通接続され、その送水管は、前記ジョイントに抜差自在に接続される下部送水管と、その下部送水管の上部に、下部が摺動自在に嵌合される上部送水管とよりなり、その上部送水管の上端に放水管が接続され、前記下部送水管と前記上部送水管は、それらの上下方向の摺動嵌合部が、横断面楕円形に形成されることを特徴としている。
【発明の効果】
【０００７】
請求項１項に記載の発明によれば、送水管の、下部送水管と上部送水管は、それらを相互に相対的に周方向に回動させることで、それらの摺動嵌合部の摩擦保持力を高めることができ、下部送水管と上部送水管の相対摺動を抑止することができ、放水管を常に定位置に保持することができる。
【０００８】
また、下部送水管と上部送水管は、それらの上下方向の摺動嵌合部が、横断面楕円形に形成されるので、それらを押出成形などにより簡単、容易に形成することができる。
【０００９】
さらに、下部送水管に対して上部送水管を周方向に略９０°の範囲で回動調節することで、上部送水管の、下部送水管に対する上下方向の摺動による位置調節および高い摩擦保持力により送水管の上下方向の摺動が抑止される。
【図面の簡単な説明】
【００１０】
【図１】本発明内部式底面濾過装置を備えた水槽の斜視図
【図２】図１の２−２線に沿う断面図
【図３】図２の３矢視図
【図４】図２の４−４線に沿う拡大断面図
【図５】本発明内部式底面濾過装置の断面図
【図６】図５の６−６線に沿う断面図
【図７】図５の７−７線に沿う断面図
【発明を実施するための形態】
【００１１】
まず、添付図面１〜４に基づいて、従来の内部式底面濾過装置について説明する。
【００１２】
図１〜３に示すように、内部式底面濾過装置は、通常のように、水槽Ｖ内の底面に吸盤１１により固定される濾過フレーム１０と、この濾過フレーム１０上に敷設される、濾材としての砂利１２とを備える。濾過フレーム１０は、横方向に平坦で、平面視四角形状で水槽Ｖの底面との間に流水室１３が形成される。濾過フレーム１０の上面には、その全域にわたり流水室１３を外部（水槽Ｖ内）に連通する多数の吸込小孔１４が穿設されている。この吸込小孔１４は、濾過フレーム１０上に敷設される砂利１２が侵入しないような円形小孔、溝小孔よりなる。
【００１３】
濾過フレーム１０の一隅部には吐水口が開口され、この吐水口に前記流水室１３に連通する短い導水管１５が一体に起立されている。この導水管１５は、その上部に段差部１５1 を介してそれよりも小径の接続管１５2 が一体に形成されている。導水管１５の接続管１５2 には、送水管１６が抜差自在に接続される。
【００１４】
次に、図１〜３に、図４を併せ参照して送水管１６の構造を説明する。
【００１５】
送水管１６は、透明な硬質の合成樹脂材の押出成形により円筒形に形成され、前記導水管１５の接続管１５2 に抜差自在に接続される下部送水管１７と、この下部送水管１７の上部に、それよりも若干小径でそこに上下方向に摺動自在に嵌合される上部送水管１８とよりなる。下部送水管１７および上部送水管１８は、それらの横断面がいずれも同形（長径と短径の比が同じ）で、長径と短径の長さの差が小さい楕円形に形成されている。下部送水管１７に対して上部送水管１８を摺動自在に嵌合するとき、それらの摺動嵌合部は、図４（Ａ）に示すように、下部送水管１７の短径１７ｓと上部送水管１８の短径１８ｓ（下部送水管１７の長径１７ｌと上部送水管１８の長径１８ｌ）とを周方向、すなわち径方向に一致させれば、下部送水管１７の内周面と、上部送水管１８の外周面とは、それらの全周にわたって嵌合して下部送水管１７と上部送水管１８とを摺動可能に伸縮させることができる。
【００１６】
また、図４（Ｂ）に示すように、上部送水管１８を、下部送水管１７に対して周方向（径方向）に略９０°回動し、下部送水管１７の短径１７ｓと上部送水管１８の長径１８ｌ（下部送水管１７の長径１７ｌと上部送水管１８の短径１８ｓ）とを周方向に略一致させれば、下部送水管１７の短径１７ｓの内周面と、上部送水管１８の長径１８ｌの外周面との間が緊密に衝合して、それらの間の摩擦保持力が高められて、上部送水管１８の下部送水管１７に対する上下摺動が抑止される。
【００１７】
なお、下部送水管１７の長径１７ｌの内周面と、上部送水管１８の短径１８ｓの外周面との間には、若干の隙間ｃが形成されるが、この隙間ｃは僅かであり、しかも下部送水管１７と上部送水管１８の摺動嵌合部は、水中にあることから、前記隙間ｃに水が流入することはない。
【００１８】
図２に示すように、送水管１６の上端には、エルボ状の放水管２０が接続され、この放水管２０は、送水管１６の伸縮調整により水槽Ｖ内の水レベルと略一致するようされる。送水管１６内には、前記放水管２０を貫通して、エアポンプＰに接続されるエアパイプ２１が挿入され、このエアパイプ２１の下端にエアストン２２が接続される。
【００１９】
エアポンプＰの運転により発生する加圧エアは、エアパイプ２１を通ってエアストン２２に供給され、このエアストン２２から気泡となって送水管１６内に噴出され、この気泡の上昇気流により、送水管１６内に吸水力が発生する。
【００２０】
エアポンプＰの運転によれば、送水管１６内に吸水力が発生し、水槽Ｖ内の水は、濾材として機能する砂利１２を通過して濾過され、浄化された後、多数の吸水小孔１４を通過して流水室１３に流れ、その吐水口から導水管１５を介して送水管１６内に流れる。送水管１６内の濾過済の水は、上昇して放水管２０より水槽Ｖ内に放流される。放水管２０より放流される浄化水は、水槽Ｖ内の水面レベルに沿って流れ、水槽Ｖ内の水にエアを混入し易くしている。
【００２１】
ところで、送水管１６の長さ調節および所定長さの保持は、前述したように、上部送水管１８を下部送水管１７に対して周方向に略９０°の範囲で回動調節することにより、簡単に行うことができる。
【００２２】
次に、図５〜７を参照して、本発明の実施形態について説明する。
【００２３】
本発明の実施形態は、従来公知の内部式濾過装置［通称水作エイト（商標名）、たとえば特許第４１６３６６３号公報参照］に実施した場合であって、水槽Ｖの床面上に設置される内部式濾過装置の、八角筒状の濾過ケース３０の上部中央には、該濾過ケース３０の吐水口に連通する導水管３１が突設される。この導水管３１は、横断面八角形状で上方に向かって若干先細りに形成されており、その導水管３１に弾性合成樹脂材よりなるジョイント３２の下部が接続され、このジョイント３２の上部に、前記事例と同じ構造の送水管１６が連通接続される。よって、前記導水管３１には、ジョイント３２を介して下部送水管１７の下部が抜差自在に接続され、下部送水管１７の上部に上部送水管１８の下部が摺動可能に嵌合され、上部送水管１８の上端に放水管３３が接続される。
【００２４】
本発明に係る実施形態では、前述の事例と同じく下部送水管１７に対して上部送水管１８を周方向に略９０°の範囲で回動調節することで、上部送水管１８の、下部送水管１７に対する上下方向の摺動による位置調節および高い摩擦保持力により送水管１６の上下方向の摺動が抑止される。
【００２５】
濾過ケース３０の吸込口３４には、エアパイプ３５を介してエアポンプＰが接続され、エアポンプＰの運転により、加圧エアを濾過ケース３０内に供給することにより、水槽Ｖ内の水は、濾過ケース３０内に吸い込まれ、該濾過ケース３０内の濾材（図示せず）により濾過されたのち、導水管３１より送水管１６へと流れ、放水管３３を通って水槽Ｖ内に放水される。
【００２６】
以上、本発明の実施形態に示すように、下部送水管１７と上部送水管１８を伸縮可能に摺動嵌合してなる送水管１６は、上部送水管１８を、下部送水管１７に対して周方向に僅かに回動（略９０°）調節することにより、それら間の摩擦保持力を高めて、それらの妄りな軸方向の摺動を抑止することができ、放水管３３が水槽Ｖ内の水の流れや、送水管１６に作用する外力などで移動することがない。
【００２７】
以上、実施形態について説明したが、本発明はそれらの実施の形態に限定されることなく、本発明の範囲内で種々の他の実施形態が可能である。
【符号の説明】
【００２８】
１６・・・・・・・送水管
１７・・・・・・・下部送水管
１８・・・・・・・上部送水管
３０・・・・・・・濾過ケース
３１・・・・・・・導水管
３２・・・・・・・ジョイント
３３・・・・・・・放水管
Ｖ・・・・・・・水槽
【図１】
2020036605.tif 000003
【図２】
2020036605.tif 000004
【図３】
2020036605.tif 000005
【図４】
2020036605.tif 000006
【図５】
2020036605.tif 000007
【図６】
2020036605.tif 000008
【図７】
2020036605.tif 000009